(57)【要約】【課題】  テレビジョン受像機の制御操作に関する優先順位および視聴許容条件を、リモートコントローラではなく、各個の視聴者に帰属せしめ、的確な視聴の規制乃至条件の設定等の視聴に係る管制を行うことを可能にする。【解決手段】  管理者権限を有する一の視聴者が視聴条件登録部５３０を通して、他の複数の視聴者毎のＩＤと、視聴のためのリモートコントローラからの制御操作に係る優先順位、視聴を許容する年齢等の条件を表す視聴管制データを予め設定登録しておく。各視聴者は、自己の視聴者ＩＤを視聴者ＩＤ入力部５１０から入力し、設定登録された視聴管制データによる視聴許容条件に規制されて放送番組等の視聴が許容される。【選択図】  図２
2006279453.tif 000002
【特許請求の範囲】
【請求項１】
テレビジョン受像機にその各視聴者毎に割り当てられたＩＤに各対応して当該テレビジョン受像機の制御操作に関する優先順位および視聴許容条件をＩＤに関連する所定の序列で規定した視聴管制データを登録し、前記テレビジョン受像機に対応するリモートコントローラから送信された該リモートコントローラを操作する一の視聴者を特定する視聴者ＩＤを表す視聴者ＩＤ信号が受信されたときには、テレビジョン受像機側では、その視聴者ＩＤ信号が表すＩＤに応じて前記視聴管制データを対照して前記一の視聴者によるリモートコントローラからの操作に対する応答の動作態様を管制することを特徴とするテレビジョン受像機の操作方法。
【請求項２】
前記視聴管制データを、特定の一の視聴者である管理者が、他の視聴者には許諾されない管理者権限として予め前記テレビジョン受像機に設定登録することを特徴とする請求項１に記載のテレビジョン受像機の操作方法。
【請求項３】
前記視聴管制データを、前記各ＩＤに対応する各視聴者毎の年齢に応じて視聴を許容する番組の種別に規制を課すものとして設定することを特徴とする請求項１に記載のテレビジョン受像機の操作方法。
【請求項４】
前記視聴管制データを、前記各ＩＤに対応する各視聴者毎に、当該テレビジョン受像機における選局操作に係る優先的選択権の序列を規定するものとして設定することを特徴とする請求項１に記載のテレビジョン受像機の操作方法。
【請求項５】
前記視聴管制データを、前記各ＩＤに対応する各視聴者毎に、マルチ画面表示に際して割り当てられる表示領域の大きさに関する序列を規定するものとして設定することを特徴とする請求項１に記載のテレビジョン受像機の操作方法。
【請求項６】
リモートコントローラとテレビジョン受像機とを含むテレビジョン受像機操作システムであって、前記リモートコントローラは、視聴者を特定するＩＤを表す視聴者ＩＤの入力操作を受け付ける視聴者ＩＤ入力操作部と、前記視聴者ＩＤ入力操作部に対する操作に応じて視聴者ＩＤ信号を生成して前記テレビジョン受像機に送信する視聴者ＩＤ信号送信部とを備え、前記テレビジョン受像機は、前記視聴者ＩＤ信号を受信する視聴者ＩＤ信号受信部と、予め登録された当該テレビジョン受像機における制御操作に関する優先順位および視聴許容条件を各視聴者に割り当てられたＩＤ毎に規定した視聴管制データを保持する視聴管制データ保持部と、前記視聴者ＩＤ信号受信部で受信した視聴者ＩＤ信号のＩＤに応じて前記視聴管制データ保持部に保持されている視聴管制データを対照して一の視聴者による前記リモートコントローラからの操作に対する応答の動作態様を管制するシステムコントローラと、を備えたことを特徴とするテレビジョン受像機操作システム。
【請求項７】
視聴者を特定するＩＤを表す視聴者ＩＤの入力操作を受け付ける視聴者ＩＤ入力操作部と、前記視聴者ＩＤ入力操作部に対する操作に応じて前記視聴者ＩＤを表す視聴者ＩＤ信号を生成して自己に対応するテレビジョン受像機に送信する視聴者ＩＤ信号送信部とを備えたことを特徴とするリモートコントローラ。
【請求項８】
視聴者を特定するＩＤを表す視聴者ＩＤ信号が自己に対応するリモートコントローラから送信されたときに当該視聴者ＩＤ信号を受信する視聴者ＩＤ信号受信部と、予め登録された当該テレビジョン受像機における制御操作に関する優先順位および視聴許容条件を各視聴者に割り当てられたＩＤ毎に規定した視聴管制データを保持する視聴管制データ保持部と、前記視聴者ＩＤ信号受信部で受信した視聴者ＩＤ信号のＩＤに応じて前記視聴管制データ保持部に保持されている視聴管制データを対照して一の視聴者による前記リモートコントローラからの操作に対する応答の動作態様を管制するシステムコントローラと、を備えたことを特徴とするテレビジョン受像機。
【請求項９】
視聴者を特定するＩＤを表す視聴者ＩＤ信号が自己に対応するリモートコントローラから送信されたときに当該視聴者ＩＤ信号を受信する視聴者ＩＤ信号受信部と、当該テレビジョン受像機における制御操作に関する優先順位および視聴許容条件を各視聴者に割り当てるＩＤ毎に規定する視聴管制データを特定の一の視聴者である管理者が他の視聴者には許諾されない管理者権限として予め設定登録して視聴管制データ保持部に保持させるための入力操作を行うべく当該入力操作をガイドする視聴管制データ入力操作ガイド部と、前記視聴管制データ入力操作ガイド部によるガイドに従った入力操作が実行されて前記視聴管制データ保持部に当該視聴管制データが保持されているときには、前記視聴者ＩＤ信号受信部で受信した視聴者ＩＤ信号のＩＤに応じて前記視聴管制データ保持部に保持されている視聴管制データを対照して一の視聴者による前記リモートコントローラからの操作に対する応答の動作態様を管制するシステムコントローラと、を備えたことを特徴とするテレビジョン受像機。
【請求項１０】
放送番組に付加されている視聴年齢制限等の視聴制限データを検出する視聴条件制限データ検出部と、前記視聴管制データ保持部に保持された視聴管制データのうち前記視聴者ＩＤ信号受信部で受信された視聴者ＩＤ信号によるＩＤに対応する視聴管制データと前記視聴条件制限データ検出部で検出された視聴制限データとを比較する視聴制限データ比較部とを更に備え、前記システムコントローラは、前記視聴制限データ比較部による比較結果に応じて一の視聴者による前記リモートコントローラからの操作に対する応答の動作態様を管制するように構成されていることを特徴とする請求項８〜９の何れか一項に記載のテレビジョン受像機。
【請求項１１】
前記視聴管制データに基づいて、前記各ＩＤに対応するものとして、マルチ画面表示に際して割り当てられる映像表示領域の大きさに関する序列に従って大きさの異なる各所定の映像表示領域を複数設定する映像表示領域設定部を備えていることを特徴とする請求項８〜９の何れか一項に記載のテレビジョン受像機。
【発明の詳細な説明】
【技術分野】
【０００１】
本発明は、リモートコントローラを用いたテレビジョン受像機の操作方法、この方法を実施するテレビジョン受像機操作システム、および、このシステムを構成するリモートコントローラ、並びに、テレビジョン受像機に関し、特に、複数の視聴者が同時に一のテレビジョン受像機をリモートコントローラで操作して異なる番組を視聴することのできるテレビジョン受像機の操作方法、この方法を実施するテレビジョン受像機操作システム、および、このシステムを構成するリモートコントローラ、並びに、テレビジョン受像機の改良に関する。
【背景技術】
【０００２】
近年、大画面のテレビジョン受像機では複数の視聴者が異なる番組を視聴することも可能になっている。同時に複数の視聴者が同一のテレビジョン受像機の画面内で異なる番組を視聴するためにリモートコントローラで選局等の操作しようとする場合には、テレビジョン受像機の画面上に複数のウインドウを設定した所謂マルチ画面表示とし、各々のウインドウをリモートコントローラにより各別に操作する必要がある。
【０００３】
このような場合、例えば複数のリモートコントローラを用いて、各リモートコントローラには固有のＩＤを割り当てておき、テレビジョン受像機側でリモートコントロール信号を発したリモートコントローラのＩＤを弁別することによって、複数のリモートコントローラが同時に用いられることがあっても、各々のＩＤに対応するウィンドウを他と区別して各別に操作することができるようにすることが既に提案されている（特許文献１参照）。
また一方、複数のリモートコントローラによるリモートコントロール信号をこれに付随するＩＤで識別可能にすると共に、それら各ＩＤ（従って、各リモートコントローラ）に関して、テレビジョン受像機を同時に操作する場合の優先順位（優先度データ）を設定し、乃至は、マルチ画面表示における表示領域（ウインドウ）の大きさの序列を規定することが提案されている（特許文献２参照）。
【特許文献１】特開２０００−２７０２３８号公報（段落０００６〜段落０００７、図１）
【特許文献２】特開２００１−６１１１０号公報（段落０００６〜段落０００８、段落００２５、図６）
【発明の開示】
【発明が解決しようとする課題】
【０００４】
しかしながら、上述のような既提案の技術では、何れも、複数の各リモートコントローラに対応付けてＩＤを割り当てるものであるため、どの視聴者でも、そのリモートコントローラを使用さえすれば、同様の優先度を持てる。即ち、これらの提案では、優先度は何れも各リモートコントローラに帰属するものであるため、本来的にそのテレビジョン受像機を視聴する主体たる視聴者に対応して番組の視聴制限をすることができないという問題がある。
【０００５】
本発明はこのような事情に鑑みてなされたものであり、テレビジョン受像機を視聴する主体たる視聴者毎に当該テレビジョン受像機の制御操作に関する優先順位および視聴許容条件を帰属せしめ的確な視聴の規制乃至条件の設定等の視聴に係る管制を行うことを可能にすることを目的としている。
【課題を解決するための手段】
【０００６】
上記課題を解決するべく、本願では次に列記するような技術を提案する。
（１）テレビジョン受像機にその各視聴者毎に割り当てられたＩＤに各対応して当該テレビジョン受像機の制御操作に関する優先順位および視聴許容条件をＩＤに関連する所定の序列で規定した視聴管制データを登録し、前記テレビジョン受像機に対応するリモートコントローラから送信された該リモートコントローラを操作する一の視聴者を特定する視聴者ＩＤを表す視聴者ＩＤ信号が受信されたときには、テレビジョン受像機側では、その視聴者ＩＤ信号が表すＩＤに応じて前記視聴管制データを対照して前記一の視聴者によるリモートコントローラからの操作に対する応答の動作態様を管制することを特徴とするテレビジョン受像機の操作方法。
【０００７】
上記（１）のテレビジョン受像機の操作方法では、テレビジョン受像機にその各視聴者毎にＩＤを割り当て、これらのＩＤに各対応して当該テレビジョン受像機の制御操作（例えば選局操作）に関する優先順位および視聴許容条件（例えば視聴許可年齢等）をＩＤに関連する所定の序列で規定した視聴管制データを登録（メモリに記憶保持）し、このテレビジョン受像機においてこれに対応するリモートコントローラから送信された該リモートコントローラを操作する一の視聴者を特定する視聴者ＩＤを表す視聴者ＩＤ信号が受信されたときには、このテレビジョン受像機側では、その視聴者ＩＤ信号が表すＩＤに該当する上記の視聴管制データを対照して、このＩＤによって特定される一の視聴者によるリモートコントローラからの操作に対する応答の動作態様を管制する（例えば、選局操作に係る優先順位を規定し、乃至は、年齢に応じた視聴の可否に係る規制を行う）。
【０００８】
（２）前記視聴管制データを、特定の一の視聴者である管理者が、他の視聴者には許諾されない管理者権限として予め前記テレビジョン受像機に設定登録することを特徴とする（１）のテレビジョン受像機の操作方法。
上記（２）のテレビジョン受像機の操作方法では、（１）のテレビジョン受像機の操作方法において特に、各視聴者毎のＩＤに対応する当該テレビジョン受像機の選局操作等の制御操作に関する優先順位および視聴許可年齢等の視聴許容条件をＩＤに関連する所定の序列で規定した視聴管制データの設定登録（メモリに記憶保持）を、特定の一の視聴者である管理者が、他の視聴者には許諾されない管理者権限として行う。家庭用のテレビジョン受像機等であれば未成年の子供に対する親が上記における特定の管理者を担う等して規律のあるテレビジョン放送の視聴管理ができる。
【０００９】
（３）前記視聴管制データを、前記各ＩＤに対応する各視聴者毎の年齢に応じて視聴を許容する番組の種別に規制を課すものとして設定することを特徴とする（１）のテレビジョン受像機の操作方法。
上記（３）のテレビジョン受像機の操作方法では、（１）のテレビジョン受像機の操作方法において特に、例えば未成年の子供等を特定するＩＤに対応する各視聴者毎の年齢に応じて視聴を許容する番組の種別に規制を課すものとして視聴管制データを設定することによって、俗悪な乃至は有害な番組が野放図に視聴されてしまう憂いを低減することが可能になる。
【００１０】
（４）前記視聴管制データを、前記各ＩＤに対応する各視聴者毎に、当該テレビジョン受像機における選局操作に係る優先的選択権の序列を規定するものとして設定することを特徴とする（１）のテレビジョン受像機の操作方法。
上記（４）のテレビジョン受像機の操作方法では、（１）のテレビジョン受像機の操作方法において特に、各ＩＤに対応する各視聴者毎に、当該テレビジョン受像機における選局操作に係る優先的選択権の序列を規定するものとして視聴管制データを設定することによって、複数の視聴者が同一のテレビジョン受像機で異なる選局（番組）を所望するような場合が生じても当該序列に従った一定の秩序が保たれた選局で視聴が行われる。
【００１１】
（５）前記視聴管制データを、前記各ＩＤに対応する各視聴者毎に、マルチ画面表示に際して割り当てられる表示領域の大きさに関する序列を規定するものとして設定することを特徴とする（１）のテレビジョン受像機の操作方法。
上記（５）のテレビジョン受像機の操作方法では、（１）のテレビジョン受像機の操作方法において特に、各ＩＤに対応する各視聴者毎に、当該テレビジョン受像機におけるマルチ画面表示に際して割り当てられる表示領域の大きさに関する序列を規定するものとして視聴管制データを設定することによって、複数の視聴者がテレビジョン受像機のマルチ画面表示で異なる表示領域（ウインドウ）を利用しながら番組を視聴するような場合が生じても、当該序列に従った一定の秩序が保たれて妥当な表示サイズを分け合った状態で視聴が行われ得る。
【００１２】
（６）リモートコントローラとテレビジョン受像機とを含むテレビジョン受像機操作システムであって、前記リモートコントローラは、視聴者を特定するＩＤを表す視聴者ＩＤの入力操作を受け付ける視聴者ＩＤ入力操作部と、前記視聴者ＩＤ入力操作部に対する操作に応じて視聴者ＩＤ信号を生成して前記テレビジョン受像機に送信する視聴者ＩＤ信号送信部とを備え、前記テレビジョン受像機は、前記視聴者ＩＤ信号を受信する視聴者ＩＤ信号受信部と、予め登録された当該テレビジョン受像機における制御操作に関する優先順位および視聴許容条件を各視聴者に割り当てられたＩＤ毎に規定した視聴管制データを保持する視聴管制データ保持部と、前記視聴者ＩＤ信号受信部で受信した視聴者ＩＤ信号のＩＤに応じて前記視聴管制データ保持部に保持されている視聴管制データを対照して一の視聴者による前記リモートコントローラからの操作に対する応答の動作態様を管制するシステムコントローラと、を備えたことを特徴とするテレビジョン受像機操作システム。
【００１３】
上記（６）のテレビジョン受像機操作システムでは、リモートコントローラ側は視聴者ＩＤ入力操作部で視聴者を特定するＩＤを表す視聴者ＩＤの入力操作を受け付け、該受け付けた視聴者を特定するＩＤに応じて視聴者ＩＤ信号送信部で視聴者ＩＤ信号を生成してテレビジョン受像機に送信する。この視聴者ＩＤ信号を視聴者ＩＤ信号受信部で受信したテレビジョン受像機側では、システムコントローラが、視聴者ＩＤ信号のＩＤに応じて視聴管制データ保持部に保持されている視聴管制データを対照して一の視聴者によるリモートコントローラからの操作に対する応答の動作態様を管制する。この応答の動作態様である選局操作等の制御操作に関する優先順位および視聴許可年齢等の視聴許容条件について一定の秩序が維持される。
【００１４】
（７）視聴者を特定するＩＤを表す視聴者ＩＤの入力操作を受け付ける視聴者ＩＤ入力操作部と、前記視聴者ＩＤ入力操作部に対する操作に応じて前記視聴者ＩＤを表す視聴者ＩＤ信号を生成して自己に対応するテレビジョン受像機に送信する視聴者ＩＤ信号送信部とを備えたことを特徴とするリモートコントローラ。
【００１５】
上記（７）のリモートコントローラでは、視聴者ＩＤ入力操作部でその入力操作を受け付けた視聴者を特定するＩＤを表す視聴者ＩＤについて、視聴者ＩＤ信号送信部により、この視聴者ＩＤを表す視聴者ＩＤ信号を生成して自己に対応するテレビジョン受像機に送信する。自己に対応するこのテレビジョン受像機に視聴者ＩＤを表すデータを供給することによって、テレビジョン受像機側においてこのＩＤによって特定される一の視聴者によるリモートコントローラからの操作に対する応答の動作態様を管制する（例えば、選局操作に係る優先順位を規定し、乃至は、年齢に応じた視聴の可否に係る規制を行う）ことを可能にすることができる。
【００１６】
（８）視聴者を特定するＩＤを表す視聴者ＩＤ信号が自己に対応するリモートコントローラから送信されたときに当該視聴者ＩＤ信号を受信する視聴者ＩＤ信号受信部と、予め登録された当該テレビジョン受像機における制御操作に関する優先順位および視聴許容条件を各視聴者に割り当てられたＩＤ毎に規定した視聴管制データを保持する視聴管制データ保持部と、前記視聴者ＩＤ信号受信部で受信した視聴者ＩＤ信号のＩＤに応じて前記視聴管制データ保持部に保持されている視聴管制データを対照して一の視聴者による前記リモートコントローラからの操作に対する応答の動作態様を管制するシステムコントローラと、を備えたことを特徴とするテレビジョン受像機。
【００１７】
上記（８）のテレビジョン受像機では、視聴者を特定するＩＤを表す視聴者ＩＤ信号が自己に対応するリモートコントローラから送信されたときに視聴者ＩＤ信号受信部で当該視聴者ＩＤ信号を受信する。予め登録された当該テレビジョン受像機における制御操作に関する優先順位および視聴許容条件を各視聴者に割り当てられたＩＤ毎に規定した視聴管制データが視聴管制データ保持部に保持されており、システムコントローラが、視聴者ＩＤ信号受信部で受信した視聴者ＩＤ信号のＩＤに応じて、この視聴管制データ保持部に保持されている視聴管制データを対照して一の視聴者によるリモートコントローラからの操作に対する応答の動作態様を管制する。この応答の動作態様である選局操作等の制御操作に関する優先順位および視聴許可年齢等の視聴許容条件について一定の秩序が維持される。
【００１８】
（９）視聴者を特定するＩＤを表す視聴者ＩＤ信号が自己に対応するリモートコントローラから送信されたときに当該視聴者ＩＤ信号を受信する視聴者ＩＤ信号受信部と、当該テレビジョン受像機における制御操作に関する優先順位および視聴許容条件を各視聴者に割り当てるＩＤ毎に規定する視聴管制データを特定の一の視聴者である管理者が他の視聴者には許諾されない管理者権限として予め設定登録して視聴管制データ保持部に保持させるための入力操作を行うべく当該入力操作をガイドする視聴管制データ入力操作ガイド部と、前記視聴管制データ入力操作ガイド部によるガイドに従った入力操作が実行されて前記視聴管制データ保持部に当該視聴管制データが保持されているときには、前記視聴者ＩＤ信号受信部で受信した視聴者ＩＤ信号のＩＤに応じて前記視聴管制データ保持部に保持されている視聴管制データを対照して一の視聴者による前記リモートコントローラからの操作に対する応答の動作態様を管制するシステムコントローラと、を備えたことを特徴とするテレビジョン受像機。
【００１９】
上記（９）のテレビジョン受像機では、視聴者を特定するＩＤを表す視聴者ＩＤ信号が自己に対応するリモートコントローラから送信されたときに当該視聴者ＩＤ信号を視聴者ＩＤ信号受信部で受信する。このテレビジョン受像機における制御操作に関する優先順位および視聴許容条件を各視聴者に割り当てるＩＤ毎に規定する視聴管制データを特定の一の視聴者である管理者が他の視聴者には許諾されない管理者権限として予め設定登録して視聴管制データ保持部に保持させるための入力操作を行うべく当該入力操作をガイドする視聴管制データ入力操作ガイド部が設けられており、この視聴管制データ入力操作ガイド部によるガイドに従った入力操作が実行されて前記視聴管制データ保持部に当該視聴管制データが保持されているときには、システムコントローラによって、視聴者ＩＤ信号受信部で受信した視聴者ＩＤ信号のＩＤに応じて、この視聴管制データ保持部に保持されている視聴管制データを対照して一の視聴者によるリモートコントローラからの操作に対する応答の動作態様を管制する。視聴管制データ入力操作ガイド部によるガイドに従って入力操作が適切に実行され得、視聴管制データ保持部にこのような適切な視聴管制データが保持され得る。このような視聴管制データに依拠してリモートコントローラからの操作に対する応答の動作態様が管制される。この応答の動作態様である選局操作等の制御操作に関する優先順位および視聴許可年齢等の視聴許容条件について妥当な秩序が維持される。
【００２０】
（１０）放送番組に付加されている視聴年齢制限等の視聴制限データを検出する視聴条件制限データ検出部と、前記視聴管制データ保持部に保持された視聴管制データのうち前記視聴者ＩＤ信号受信部で受信された視聴者ＩＤ信号によるＩＤに対応する視聴管制データと前記視聴条件制限データ検出部で検出された視聴制限データとを比較する視聴制限データ比較部とを更に備え、前記システムコントローラは、前記視聴制限データ比較部による比較結果に応じて一の視聴者による前記リモートコントローラからの操作に対する応答の動作態様を管制するように構成されていることを特徴とする（８）〜（９）の何れか一に記載のテレビジョン受像機。
【００２１】
上記（１０）のテレビジョン受像機では、（８）〜（９）の何れか一に記載のテレビジョン受像機の作用において特に、放送番組に付加されている視聴年齢制限等の視聴制限データを検出する視聴条件制限データ検出部と、前記視聴管制データ保持部に保持された視聴管制データのうち前記視聴者ＩＤ信号受信部で受信された視聴者ＩＤ信号によるＩＤに対応する視聴管制データと前記視聴条件制限データ検出部で検出された視聴制限データとを比較する視聴制限データ比較部とを更に備えており、システムコントローラが、この視聴制限データ比較部における比較結果に応じて一の視聴者によるリモートコントローラからの操作に対する応答の動作態様を管制する。放送番組に付加されている視聴年齢制限等の視聴制限データを一つの目安として、リモートコントローラからの操作に対する応答の動作態様を管制する。この応答の動作態様である選局操作等の制御操作に関する視聴許可年齢等の視聴許容条件について一定の秩序が維持される。
【００２２】
（１１）前記視聴管制データに基づいて、前記各ＩＤに対応するものとして、際して割り当てられる映像表示領域の大きさに関する序列に従って大きさの異なる各所定の映像表示領域を複数設定する映像表示領域設定部を備えていることを特徴とする（８）〜（９）の何れか一に記載のテレビジョン受像機。
【００２３】
上記（１１）のテレビジョン受像機では、（８）〜（９）の何れか一に記載のテレビジョン受像機の作用において特に、マルチ画面表示に際して割り当てられる映像表示領域の大きさに関する序列に従って大きさの異なる各所定の映像表示領域を複数設定する映像表示領域設定部を備えているため、当該序列相応の大きさで各ＩＤに対応するマルチ画面表示における映像表示領域が設定され得る。
【発明を実施するための最良の形態】
【００２４】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明を適用するテレビジョン受像機の一例であるデジタルテレビジョン受像機の一般的構成を表すブロック図である。図１において、アンテナ１００を通し、選局制御部２２０によって受信されたデジタル放送を選局処理し、該選局処理によって生成されたデータ（ＴＳ：トランスポートストリーム）は更に、誤り訂正処理部２３１、スクランブル解除部２４１を通してストリーム分離部２５１に供給される。これら各信号処理機能部は、何れもそれ自体は公知のものである。
【００２５】
尚、本例のデジタルテレビジョン受像機における上述の選局制御部２２０は複数のチューナ部、即ち、第１チューナ２２１および第２チューナ２２２を備えた、所謂ダブルチューナ式の構成をとっている。従って、選局制御部２２０の後段の信号処理機能各部は、双方のチューナ２２１および２２２の各系統に対して夫々独立に並行に機能し得る構成をとっており、所謂マルチ画面に夫々別の番組を映出させることができる。
【００２６】
ストリーム分離部２５１は当該供給されたスクランブル解除部２４１の出力信号を映像データのトランスポートストリームと音声データのトランスポートストリームとに分離する。該分離された映像データのトランスポートストリームは映像デコーダ２６１、映像制御部２６３、を通して所定の処理が施され、ディスプレイ２６５に供給されて映像が映出される。
【００２７】
一方、音声データのストリームは音声デコーダ２６２、音声制御部２６４を通して所定の処理が施され、スピーカ２６６に供給されて音声が出力される。
上述の各信号処理機能部はバス３００を通してマイクロプロセッサを主体に構成されるシステムコントローラ３１０によって統括的に制御される。バス３００にはメモリ３２１、ハードディスク３２２が接続されて、所要のデータの保持および授受が行われる。
【００２８】
バス３００には、また、外部のネットワーク４００と接続されるネットワークインターフェース（Ｉ／Ｆ）３３１、リモートコントローラの信号を受けるリモコンインターフェース（Ｉ／Ｆ）３３２、複数の情報記録装置相互間での記録情報の受け渡しに適用される所謂ブリッジメディアを通しての情報の授受のためのブリッジメディアインターフェース（Ｉ／Ｆ）３３３、ＩＣカードに対しデータの授受を行うＩＣカードインターフェース３３４が接続されている。
【００２９】
図２は、図１のデジタルテレビジョン受像機における本発明に関係する機能を説明するための概念図である。これらの機能は、図１のブロック図における該当する機能ブロック、および、これらとシステムコントローラ３１０の持つ広汎な機能のうち該当する機能部との協働によって実現される。
図２について、先ず概要を説明する。視聴者ＩＤ入力部５１０でリモートコントローラ等から視聴者ＩＤの入力を受け付ける。受け付けたＩＤ毎に優先順位判定部５２０で視聴条件登録部５３０からの特定の一の視聴者である管理者の操作によって入力される等して予め登録されている優先順位（および後に詳述する種々の視聴に係る条件を含む視聴管制データ）を参照して、視聴管制データに基づいた優先順位に従って第１選局部５４１および第２選局部５４２を備えた選局部５４０の何れかの選局部の出力が、そのＩＤに対応するものとして出力される。
【００３０】
選局部５４０の出力は、第１デコード部５５１および第２デコード部５５２を備えた映像デコード部５５０の何れかの対応するデコード部に供給される。映像デコード部５５０の出力は、所謂マルチ画面を形成する画像合成部５６０に供給され、その出力がディスプレイ６００に供給されて映像が映出される。一方、選局部５４０の第１選局部５４１および第２選局部５４２の各出力から、放送信号に含まれている、当該放送番組に関する視聴年齢の制限等の視聴情報を検出するための、視聴条件制限データ検出部としての、視聴情報検出部５７１が設けられ、その出力が、当該検出された視聴情報と上述のように予め登録された視聴に係る条件（視聴管制データ）との対比判定を行う、視聴制限データ比較部としての、視聴制限判定部５７２に供給される。
【００３１】
システムコントローラ３１０（図１）が、この視聴制限データ比較部における比較結果に応じて一の視聴者によるリモートコントローラからの操作に対する応答の動作態様を管制する。放送番組に付加されている視聴年齢制限等の視聴制限データを一つの目安として、リモートコントローラからの操作に対する応答の動作態様を管制する。この応答の動作態様である選局操作等の制御操作に関する視聴許可年齢等の視聴許容条件について一定の秩序が維持される。
【００３２】
既述の優先順位判定部５２０の出力とこの視聴制限判定部５７２の出力とが供給されてこれら両出力を勘案してディスプレイ６００に設定されるウインドウの設定を行うウインドウ制御部５７３が設けられ、この出力が画像合成部５６０に供給されるように構成されている。
【００３３】
図３は図１のデジタルテレビジョン受像機に対応するリモートコントローラの構成を表すブロック図である。リモートコントローラは、図３のように、視聴者を特定するＩＤを表す視聴者ＩＤの入力操作を受け付けるＩＤボタンを含んで構成される入力操作部７０１、赤外線による本デジタルテレビジョン受像機に対するリモートコントロール信号を投射する赤外光投射部７０２、および、この入力操作部７０１と赤外光投射部７０２と信号を授受し、処理して、リモートコントローラとしての所定の機能を実現する制御部７０３を含んで構成される。
【００３４】
赤外光投射部７０２とこの制御部７０３の該当する機能部とによって、入力操作部７０１に対する操作に応じて視聴者ＩＤを表す視聴者ＩＤ信号を生成して対応するテレビジョン受像機に送信する視聴者ＩＤ信号送信部が構成される。
図２において、視聴者ＩＤ入力部５１０では、本デジタルテレビジョン受像機に対応するリモートコントローラのＩＤボタンを押下して視聴者ＩＤを入力する。
【００３５】
リモートコントローラのＩＤボタンを押下すると、テレビ画面（ディスプレイ）に視聴者ＩＤの入力を求める案内表示が映出されるようになされており、視聴者はこの案内表示に従ってリモートコントローラの入力操作部７０１を操作して４桁の数字を入力する。ここで入力した数字は、画面上ではアスタリスクの列として「＊＊＊＊」のように表示されて、他の視聴者にＩＤを見られることはない。再度、ＩＤボタンを押下するまでのリモコン操作は、この視聴者ＩＤのもので行われる。
【００３６】
図４は、視聴者ＩＤに各対応して設定（登録）された、当該テレビジョン受像機の制御操作（例えば選局操作）に関する優先順位、および、視聴許容条件（例えば視聴許可年齢等）、並びに、後述する視聴予約リストの関係を表す図である。図４の関係を表すデータは、テレビジョン受像機の各視聴者毎割り当てたＩＤに各対応して当該テレビジョン受像機の制御操作（例えば選局操作）に関する優先順位および視聴許容条件（例えば視聴許可年齢等）をＩＤに関連する所定の序列で規定した視聴管制データであり、例えば図１のハードディスク３２２に格納（設定登録）され、所要に応じてシステムコントローラ３１０からアクセス可能になされている。
【００３７】
図４の例では、視聴管制データとして、視聴者ＩＤ、優先順位、視聴制限、視聴予約リストが夫々設定されている。優先順位は数字が小さいほど優先度が高い。優先順位０は、管理者用のＩＤを示す。視聴制限は１から３の３段階で、数字が大きいほど制限が厳しくなる。ただし、０の場合は制限なしとする。「視聴予約リスト」は各視聴者ＩＤに対応する視聴予約リストであり、後に例示を伴って説明する。
【００３８】
視聴者ＩＤが０７１４と１１２１の場合は、視聴制限がされているので、図２の選局部で選局された放送番組に付加されている視聴年齢の制限などを視聴情報検出部５７１にて抽出し、これらのＩＤに対応する視聴制限と視聴情報検出部５７１で抽出された視聴制限条件とを視聴制限判定部５７２で比較する。制限条件に該当する場合は視聴できない。
図４の「視聴制限」としては、例えば、視聴レベル１は１８才以下は視聴不可、視聴レベル２は１２才以下は視聴不可、視聴レベル３は７才以下は視聴不可のような設定とする。
【００３９】
即ち、視聴者ＩＤ信号が表すＩＤに該当する上記のような視聴管制データを対照して、このＩＤによって特定される一の視聴者によるリモートコントローラからの操作に対する応答の動作態様を管制する（例えば、選局操作に係る優先順位を規定し、乃至は、年齢に応じた視聴の可否に係る規制を行う）。
【００４０】
視聴者ＩＤが１１１８の場合は、優先順位が０であるので管理者権限を持ち、他の視聴者ＩＤ、視聴条件、優先順位を視聴条件登録部５３０からの操作により設定登録することができる。即ち、当該テレビジョン受像機の選局操作等の制御操作に関する優先順位および視聴許可年齢等の視聴許容条件をＩＤに関連する所定の序列で規定した視聴管制データの設定登録（メモリに記憶保持）を、特定の一の視聴者である管理者が、他の視聴者には許諾されない管理者権限として行う。家庭用のテレビジョン受像機等であれば未成年の子供に対する親が上記における特定の管理者を担う等して規律のあるテレビジョン放送の視聴管理ができる。
【００４１】
この設定登録の入力操作を行うに際しての便宜のために、当該入力操作をガイドする視聴管制データ入力操作ガイド部（機能部）が設けられており、ディスプレイ６００（２６５）に順次映出するガイドメッセージやグラフィック表示等によって入力がガイドされる。この視聴管制データ入力操作ガイド部によるガイドに従った入力操作が実行されて視聴管制データ保持部たるハードディスク３２２の所定の記憶領域に当該視聴管制データが保持される。視聴管制データ入力操作ガイド部によるガイドに従って入力操作が適切に実行され得、視聴管制データ保持部にこのような適切な視聴管制データが保持され得る。
【００４２】
視聴制限を課されない場合は、ウインドウ制御部５７３において、視聴者ＩＤに対する序列たる優先順位に基づいたサイズのウインドウを生成し、選局部５４０（第１選局部５４１、第２選局部５４２）から出力された映像を映像デコード部５５０（第１デコード部５５１、第２デコード部５５２）を通してデコードし、映像合成部５６０において、ウインドウにマッピングすることにより、ディスプレイ６００に映出（提示）する。
【００４３】
視聴者ＩＤの入力が1つだけの場合は、ディスプレイとウインドウが一致するが、次に別の視聴者ＩＤが入力された場合は、優先順位判定部５２０において、２つの視聴者ＩＤの優先順位に基いてウインドウのサイズが決められる。ウインドウの数は、選局部の数により決まる。図示の例では、選局部５４０は第１選局部５４１、第２選局部５４２の２つの線局部を備えているため、２つのウインドウが、各所定の大きさで設定されることになる。優先順位の高い視聴者ＩＤの順に指定した番組を視聴することができる。
【００４４】
図５は図１のデジタルテレビジョン受像機の本発明の実施の形態としての機能部の動作を要約して表すフローチャートである。図５において、装置が起動してから、図３を参照して説明したリモートコントローラのＩＤボタンが押下げられたか、即ち、図２の視聴者ＩＤ入力部５１０で入力操作が受け付け状況が監視される（Ｓ５０１）。
リモートコントローラのＩＤボタンが未だ押下げられずＩＤ入力部５１０で入力操作が未だ受け付けられていなければ、視聴者にＩＤの入力を促す案内表示がディスプレイ６００に映出され、これに応じたＩＤの入力が行われる（Ｓ５０２）。次いで、入力されたＩＤに対して予め登録されている優先順位との対照が行われ、該当する優先順位の場合ではその時点で選局操作を行う優先権があるか否かが判定される（Ｓ５０３）。ここでは、デジタルテレビジョン受像機はダブルチューナの仕様であるため、第２番目の優先順位までの選局操作が許容され優先権があると判定される。
【００４５】
尚、ステップＳ５０１で、ＩＤボタンが押下げられＩＤ入力部５１０で入力操作が受け付けられていることが認識されたときには、ステップＳ５０２をスキップして直ちにステップＳ５０３に移行する。ステップＳ５０３で優先権があると判定されたときには、選局を促す案内表示がディスプレイ６００に映出され、これに応じた選局操作が行われる（Ｓ５０４）。他方、ステップＳ５０３で優先権がないと判定されたときには、ステップＳ５０１に戻る。
【００４６】
次いで、ステップＳ５０４の選局操作で選択された番組が、視聴制限の情報を伴うものであるか否かが判定される（Ｓ５０５）。ステップＳ５０５で、視聴制限情報が付帯しているものであると判定されたときには、当該視聴制限情報による制限の内容と、視聴者ＩＤに対応して予め登録されている視聴制限の等級とを対照し、選局された番組が当該視聴者ＩＤに関して規制に該当するものであるか否かが判定される（Ｓ５０６）。
【００４７】
ステップＳ５０６で規制に該当していないと判定された場合には、選局された番組の映像がディスプレイ６００に映出（提示）される（Ｓ５０７）。他方、ステップＳ５０６で規制に該当していると判定された場合には、ステップＳ５０１に戻る。尚、ステップＳ５０５で、視聴制限情報が付帯していないと判定されたときには、そのまま、選局された番組の映像がディスプレイ６００に映出（提示）される。
【００４８】
図６は、図４における「視聴予約リスト」の内容を例示する図である。
図６と図４とを対照して了解される通り、２００４年１２月２３日には、視聴予約リストＴ１（図４の視聴者ＩＤ０７１４、優先順位２に対応）に基づいて時刻２０：００から開始（視聴）していたチャンネル４について、時刻２１：００からは優先権がＴ２（図４の視聴者ＩＤ１１１８、優先順位０に対応）に移る（チャンネル６の視聴が優先される）。
また、２００４年１２月２４日には、視聴予約リストＴ２に基づいて時刻２１：００でのチャンネル１の視聴終了後は、優先権がＴ１に移る（チャンネル８の視聴が優先される）。
【００４９】
図７は、選局部を２つ備えた図１のデジタルテレビジョン受像機においてマルチ画面表示を行う場合に、優先順位に応じた、ウインドウ（表示領域）のサイズと配置を例示する図である。図７（ａ）の例では、相対的に優先順位が高いＩＤに対応して相対的に大きいＡ領域が割り当てられ、相対的に優先順位が低いＩＤに対応して相対的に小さいＢ領域が映像表示領域として割り当てられている。一方、図７（b）の例では、優先順位が対等である２つのＩＤに対応して等しい大きさのＡ領域とＢ領域とが割り当てられている。
【００５０】
尚、図７（c）の例では、相対的に優先順位が高いＩＤに対応して相対的に大きいＡ領域が、相対的に優先順位が低いＩＤに対応して相対的に小さいＢ領域が、相互に重複しない配置としての映像表示領域として割り当てられている。
上述の表示例は、何れも、選局部を２つ備えた仕様のデジタルテレビジョン受像機に関するものであり、視聴予約リストを用いる場合は、自分の視聴したい番組をＥＰＧ（電子番組ガイド）などを用いて設定したときには、すべての視聴者ＩＤに対する視聴予約リストを参照し、相対的に優先度の高いＩＤの順番に第２順位までのＩＤの視聴者が同時に視聴可能である。
【図面の簡単な説明】
【００５１】
【図１】本発明を適用するテレビジョン受像機の一例であるデジタルテレビジョン受像機の一般的構成を表すブロック図である。
【図２】図１のデジタルテレビジョン受像機における本発明に関係する機能を説明するための概念図である。
【図３】図１のデジタルテレビジョン受像機に対応するリモートコントローラの構成を表すブロック図である。
【図４】視聴者ＩＤに各対応して設定登録された、当該テレビジョン受像機の制御操作に関する優先順位、視聴許容条件、視聴予約リストの関係を表す図である。
【図５】図１のデジタルテレビジョン受像機の本発明の実施の形態としての機能部の動作を要約して表すフローチャートである。
【図６】図４における「視聴予約リスト」の内容を例示する図である。
【図７】図１のデジタルテレビジョン受像機においてマルチ画面表示を行う場合の表示領域の大きさと配置を例示する図である。
【符号の説明】
【００５２】
１００…アンテナ  ２２０…選局制御部  ２２１…第１チューナ  ２２２…第２チューナ  ２３１…誤り訂正処理部  ２４１…スクランブル解除部  ２５１…ストリーム分離部    ２６１…映像デコーダ  ２６２…音声デコーダ  ２６３…映像制御部  ２６４…音声制  御部  ２６５…ディスプレイ  ２６６…スピーカ  ３００…バス  ３１０…システムコ  ントローラ  ３２１…メモリ  ３２２…ハードディスク  ３３１…ネットワークインタ  ーフェース  ３３２…リモコンインターフェース  ３３３…ブリッジメディアインター  フェース  ３３４…ＩＣカードインターフェース  ４００…ネットワーク  ５１０…視  聴者ＩＤ入力部  ５２０…優先順位判定部  ５３０…視聴条件登録部  ５４０…選局部    ５４１…第１選局部  ５４２…第２選局部  ５５０…映像デコード部  ５５１…第１  デコード部  ５５２…第２デコード部  ５６０…画像合成部  ５７１…視聴情報検出部    ５７２…視聴制限判定部  ５７３…ウインドウ制御部  ６００…ディスプレイ  ７０  １…入力操作部  ７０２…赤外光投射部  ７０３…制御部
【図１】
2006279453.tif 000003
【図２】
2006279453.tif 000004
【図３】
2006279453.tif 000005
【図４】
2006279453.tif 000006
【図５】
2006279453.tif 000007
【図６】
2006279453.tif 000008
【図７】
2006279453.tif 000009